(57)【要約】【課題】カバー部材を筐体本体に組み付ける際の作業性を向上することができる電気接続箱及びワイヤハーネスを提供する。【解決手段】電気接続箱１は、第一挿入ロック機構３５Ａと、第二挿入ロック機構３５Ｂとを含んで構成される。第一挿入ロック機構３５Ａは、各第一挿入係止片３５ａと、各第一挿入受け部３５ｂとを有し、各第一挿入係止片３５ａが各第一挿入受け部３５ｂに挿入され且つ各第一挿入係止片３５ａが各第一挿入受け部３５ｂに係止されていない状態でロアカバー３２とフレーム３１との相対回動の回動支点となる。第二挿入ロック機構３５Ｂは、第二挿入係止片３５ｇと、第二挿入受け部３５ｈとを有し、第一挿入ロック機構３５Ａが回動支点となる状態で第二挿入受け部３５ｈにより第二挿入係止片３５ｇを案内し、フレーム３１とロアカバー３２との相対位置を規定する。【選択図】図４
2018148769.tif 000002
【特許請求の範囲】
【請求項１】
複数の壁部が軸線周りに連なって環状に形成された筐体周壁部、及び、前記筐体周壁部の前記軸線に沿った軸線方向の少なくとも一方側が開口された筐体開口部を有し、電子部品を内部に収容する筐体本体と、
複数の壁部が前記軸線周りに連なって環状に形成されたカバー周壁部、及び、前記カバー周壁部の前記軸線方向の一方側を閉塞する閉塞部を有し、前記筐体開口部を塞ぐカバー部材と、
前記カバー周壁部の前記複数の壁部のうちの第一壁部に少なくとも２つ設けられる第一挿入係止片、及び、前記筐体周壁部の前記複数の壁部のうちの第一壁部に前記第一挿入係止片に対応してそれぞれ設けられ前記第一挿入係止片が挿入され係止される第一挿入受け部を有し、前記第一挿入係止片が前記第一挿入受け部に挿入され且つ前記第一挿入係止片が前記第一挿入受け部に係止されていない状態で前記カバー部材と前記筐体本体との相対回動の回動支点となる第一挿入ロック機構と、
前記カバー周壁部の前記複数の壁部のうちの前記第一壁部とは異なる第二壁部に設けられる第二挿入係止片、及び、前記筐体周壁部の前記複数の壁部のうちの前記第一壁部とは異なる第二壁部に前記第二挿入係止片に対応して設けられ前記第二挿入係止片が係止される第二挿入受け部を有し、前記第一挿入ロック機構が前記回動支点となる状態で前記第二挿入受け部により前記第二挿入係止片を案内し、前記筐体本体と前記カバー部材との相対位置を規定する第二挿入ロック機構と、
を備えることを特徴とする電気接続箱。
【請求項２】
前記筐体本体に前記カバー部材を組み付ける場合、前記第一挿入係止片の一部が前記第一挿入受け部に挿入された後、前記第一挿入係止片と前記第一挿入受け部との当接部を前記回動支点として前記カバー部材と前記筐体本体とが相対回動され、前記第二挿入係止片が前記第二挿入受け部により案内され、前記筐体本体と前記カバー部材との相対位置を規定する請求項１に記載の電気接続箱。
【請求項３】
前記カバー周壁部の前記複数の壁部のうちの前記第一及び第二壁部とは異なる第三壁部に設けられる係止爪、及び、前記筐体周壁部の前記複数の壁部のうちの前記第一及び第二壁部とは異なる第三壁部に前記係止爪に対応し外部に露出した状態で設けられ前記係止爪が引っ掛けられ係止される爪受け部を有し、前記第二挿入係止片が案内された後、前記係止爪が前記爪受け部に引っ掛けられ係止される引っ掛けロック機構をさらに備える請求項１又は２に記載の電気接続箱。
【請求項４】
前記第一挿入受け部及び前記第二挿入受け部は、筒状に形成された筒部と、前記筒部の内側に設けられた係止突起部と、を有し、
前記第一挿入係止片及び前記第二挿入係止片は、前記筒部への挿入時に前記係止突起部に係止される溝部を有する請求項１〜３のいずれか１項に記載の電気接続箱。
【請求項５】
導電性の配索材と、
前記配索材に電気的に接続される電気接続箱と、を備え、
前記電気接続箱は、
複数の壁部が軸線周りに連なって環状に形成された筐体周壁部、及び、前記筐体周壁部の前記軸線に沿った軸線方向の少なくとも一方側が開口された筐体開口部を有し、電子部品を内部に収容する筐体本体と、
複数の壁部が前記軸線周りに連なって環状に形成されたカバー周壁部、及び、前記カバー周壁部の前記軸線方向の一方側を閉塞する閉塞部を有し、前記筐体開口部を塞ぐカバー部材と、
前記カバー周壁部の前記複数の壁部のうちの第一壁部に少なくとも２つ設けられる第一挿入係止片、及び、前記筐体周壁部の前記複数の壁部のうちの第一壁部に前記第一挿入係止片に対応してそれぞれ設けられ前記第一挿入係止片が挿入され係止される第一挿入受け部を有し、前記第一挿入係止片が前記第一挿入受け部に挿入され且つ前記第一挿入係止片が前記第一挿入受け部に係止されていない状態で前記カバー部材と前記筐体本体との相対回動の回動支点となる第一挿入ロック機構と、
前記カバー周壁部の前記複数の壁部のうちの前記第一壁部とは異なる第二壁部に設けられる第二挿入係止片、及び、前記筐体周壁部の前記複数の壁部のうちの前記第一壁部とは異なる第二壁部に前記第二挿入係止片に対応して設けられ前記第二挿入係止片が係止される第二挿入受け部を有し、前記第一挿入ロック機構が前記回動支点となる状態で前記第二挿入受け部により前記第二挿入係止片を案内し、前記筐体本体と前記カバー部材との相対位置を規定する第二挿入ロック機構と、
を備えることを特徴とするワイヤハーネス。
【発明の詳細な説明】
【技術分野】
【０００１】
本発明は、電気接続箱及びワイヤハーネスに関する。
【背景技術】
【０００２】
従来、電気接続箱（ジャンクションボックス、ヒューズボックス、リレーボックスなどとも呼ばれる）は、車両に搭載され、ワイヤハーネス等の接続処理用部品や、ヒューズ、リレー、電子制御ユニット等の電装品などの種々の電子部品モジュールを集約して内部空間に収容している（例えば、特許文献１）。
【先行技術文献】
【特許文献】
【０００３】
【特許文献１】特開２０１１−１２５１７３号公報
【発明の概要】
【発明が解決しようとする課題】
【０００４】
ところで、電気接続箱の筐体は、例えば、筒状に形成された筐体本体と、筐体本体の開口部を塞ぐカバー部材とを含んで構成される場合がある。この場合、電気接続箱は、電子部品が開口部から筐体本体の内部に収容され、その後、筐体本体の開口部にカバー部材を組み付けて開口部を塞いでいるが、筐体本体の開口部にカバー部材を組み付ける際の作業性の点で更なる改善の余地がある。
【０００５】
そこで、本発明は、上記に鑑みてなされたものであって、カバー部材を筐体本体に組み付ける際の作業性を向上することができる電気接続箱及びワイヤハーネスを提供することを目的とする。
【課題を解決するための手段】
【０００６】
上述した課題を解決し、目的を達成するために、本発明に係る電気接続箱は、複数の壁部が軸線周りに連なって環状に形成された筐体周壁部、及び、前記筐体周壁部の前記軸線に沿った軸線方向の少なくとも一方側が開口された筐体開口部を有し、電子部品を内部に収容する筐体本体と、複数の壁部が前記軸線周りに連なって環状に形成されたカバー周壁部、及び、前記カバー周壁部の前記軸線方向の一方側を閉塞する閉塞部を有し、前記筐体開口部を塞ぐカバー部材と、前記カバー周壁部の前記複数の壁部のうちの第一壁部に少なくとも２つ設けられる第一挿入係止片、及び、前記筐体周壁部の前記複数の壁部のうちの第一壁部に前記第一挿入係止片に対応してそれぞれ設けられ前記第一挿入係止片が挿入され係止される第一挿入受け部を有し、前記第一挿入係止片が前記第一挿入受け部に挿入され且つ前記第一挿入係止片が前記第一挿入受け部に係止されていない状態で前記カバー部材と前記筐体本体との相対回動の回動支点となる第一挿入ロック機構と、前記カバー周壁部の前記複数の壁部のうちの前記第一壁部とは異なる第二壁部に設けられる第二挿入係止片、及び、前記筐体周壁部の前記複数の壁部のうちの前記第一壁部とは異なる第二壁部に前記第二挿入係止片に対応して設けられ前記第二挿入係止片が係止される第二挿入受け部を有し、前記第一挿入ロック機構が前記回動支点となる状態で前記第二挿入受け部により前記第二挿入係止片を案内し、前記筐体本体と前記カバー部材との相対位置を規定する第二挿入ロック機構と、を備えることを特徴とする。
【０００７】
また、上記電気接続箱において、前記筐体本体に前記カバー部材を組み付ける場合、前記第一挿入係止片の一部が前記第一挿入受け部に挿入された後、前記第一挿入係止片と前記第一挿入受け部との当接部を前記回動支点として前記カバー部材と前記筐体本体とが相対回動され、前記第二挿入係止片が前記第二挿入受け部により案内され、前記筐体本体と前記カバー部材との相対位置を規定することが好ましい。
【０００８】
また、上記電気接続箱において、前記カバー周壁部の前記複数の壁部のうちの前記第一及び第二壁部とは異なる第三壁部に設けられる係止爪、及び、前記筐体周壁部の前記複数の壁部のうちの前記第一及び第二壁部とは異なる第三壁部に前記係止爪に対応し外部に露出した状態で設けられ前記係止爪が引っ掛けられ係止される爪受け部を有し、前記第二挿入係止片が案内された後、前記係止爪が前記爪受け部に引っ掛けられ係止される引っ掛けロック機構をさらに備えることが好ましい。
【０００９】
また、上記電気接続箱において、前記第一挿入受け部及び前記第二挿入受け部は、筒状に形成された筒部と、前記筒部の内側に設けられた係止突起部と、を有し、前記第一挿入係止片及び前記第二挿入係止片は、前記筒部への挿入時に前記係止突起部に係止される溝部を有することが好ましい。
【００１０】
また、本発明に係るワイヤハーネスは、導電性の配索材と、前記配索材に電気的に接続される電気接続箱と、を備え、前記電気接続箱は、複数の壁部が軸線周りに連なって環状に形成された筐体周壁部、及び、前記筐体周壁部の前記軸線に沿った軸線方向の少なくとも一方側が開口された筐体開口部を有し、電子部品を内部に収容する筐体本体と、複数の壁部が前記軸線周りに連なって環状に形成されたカバー周壁部、及び、前記カバー周壁部の前記軸線方向の一方側を閉塞する閉塞部を有し、前記筐体開口部を塞ぐカバー部材と、前記カバー周壁部の前記複数の壁部のうちの第一壁部に少なくとも２つ設けられる第一挿入係止片、及び、前記筐体周壁部の前記複数の壁部のうちの第一壁部に前記第一挿入係止片に対応してそれぞれ設けられ前記第一挿入係止片が挿入され係止される第一挿入受け部を有し、前記第一挿入係止片が前記第一挿入受け部に挿入され且つ前記第一挿入係止片が前記第一挿入受け部に係止されていない状態で前記カバー部材と前記筐体本体との相対回動の回動支点となる第一挿入ロック機構と、前記カバー周壁部の前記複数の壁部のうちの前記第一壁部とは異なる第二壁部に設けられる第二挿入係止片、及び、前記筐体周壁部の前記複数の壁部のうちの前記第一壁部とは異なる第二壁部に前記第二挿入係止片に対応して設けられ前記第二挿入係止片が係止される第二挿入受け部を有し、前記第一挿入ロック機構が前記回動支点となる状態で前記第二挿入受け部により前記第二挿入係止片を案内し、前記筐体本体と前記カバー部材との相対位置を規定する第二挿入ロック機構と、を備えることを特徴とする。
【発明の効果】
【００１１】
本発明に係る電気接続箱及びワイヤハーネスは、カバー部材と筐体本体との相対回動の回動支点となる第一挿入ロック機構と、筐体本体とカバー部材との相対位置を規定する第二挿入ロック機構とを備える。これにより、電気接続箱及びワイヤハーネスは、カバー部材を筐体本体に組み付ける際の作業性を向上することができる。
【図面の簡単な説明】
【００１２】
【図１】図１は、実施形態に係る電気接続箱の構成例を示す斜視図である。
【図２】図２は、実施形態に係る電気接続箱の構成例を示す分解斜視図である。
【図３】図３は、実施形態に係る第一挿入受け部の構成例を示す斜視図である。
【図４】図４は、実施形態に係るロアカバーの第一組付例を示す斜視図である。
【図５】図５は、実施形態に係るロアカバーの第二組付例を示す斜視図である。
【図６】図６は、実施形態に係るロアカバーの第二組付例を示す斜視図である。
【図７】図７は、実施形態に係るロアカバーの第三組付例を示す斜視図である。
【図８】図８は、実施形態に係るロアカバーの第三組付例を示す斜視図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔実施形態〕
実施形態に係る電気接続箱１及びワイヤハーネスＷＨについて説明する。以下の説明では、互いに交差する第１方向、第２方向、及び、第３方向のうち、第１方向を「高さ方向Ｘ」といい、第２方向を「第１幅方向Ｙ」といい、第３方向を「第２幅方向Ｚ」という。ここでは、高さ方向（軸線方向）Ｘと第１幅方向Ｙと第２幅方向Ｚとは、相互に直交する。典型的には、図示しない車両の製造段階や電気接続箱１が車両に搭載され当該車両が水平面に位置する状態で、高さ方向Ｘは、鉛直方向に沿い、第１幅方向Ｙ、第２幅方向Ｚは、水平方向に沿う。以下の説明では、高さ方向Ｘにおいて後述のアッパカバー３３が設けられる側を上側、後述のロアカバー３２が設けられる側を下側という場合がある。以下の説明で用いる各方向は、特に断りのない限り、各部が相互に組み付けられ、電気接続箱１が車両に搭載された状態での方向として説明する。
【００１５】
図１、図２に示す本実施形態に係る電気接続箱１は、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、内部に配索材Ｗが挿通される外装材としてのコルゲートチューブＣと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。
【００１６】
コルゲートチューブＣは、絶縁性の樹脂材料によって可撓性を有する筒状（管状）、ここでは円筒状に形成される。コルゲートチューブＣは、外表面に周方向に沿って円環状の凹凸部が形成され、当該凹凸部が延在方向（軸方向）に沿って複数設けられた蛇腹形状をなしている。コルゲートチューブＣは、内部に配索材Ｗが挿通されることで当該配索材Ｗに外装され、配索材Ｗの外周側を覆い保護するものである。また、コルゲートチューブＣは、延在方向に沿って、内部に配索材Ｗを挿通させるためのスリットが形成されていてもよい。ワイヤハーネスＷＨは、複数の配索材Ｗを束ねて集約すると共に、束ねられた配索材Ｗの端末に設けられた端子やコネクタ等を介して電気接続箱１が電気的に接続される。ワイヤハーネスＷＨは、この他、さらに、グロメット、プロテクタ、固定具等を含んで構成されてもよい。
【００１７】
電気接続箱１は、コネクタ、ヒューズ、リレー、コンデンサ、分岐部、電子制御ユニット等の電装品を集約して内部に収容するものである。電気接続箱１は、配索材Ｗ等を介して、電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱１と呼ぶ。
【００１８】
電気接続箱１は、電子部品２と、筐体３とを備える。電子部品２は、筐体３の内部に収容され、配索材Ｗが電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。
【００１９】
筐体３は、内部に形成される内部空間としての収容空間部３４に電子部品２を収容するものである。筐体３は、筐体本体としてのフレーム３１、カバー部材としてのロアカバー３２、及び、アッパカバー３３を含んで構成される。筐体３は、フレーム３１、ロアカバー３２、及び、アッパカバー３３が組み合わさって全体として中空箱状に形成される。筐体３は、フレーム３１、ロアカバー３２、及び、アッパカバー３３が分割された３層分割構造となっている。フレーム３１、ロアカバー３２、及び、アッパカバー３３は、絶縁性の合成樹脂によって形成される。
【００２０】
フレーム３１は、収容空間部３４を形成する主たる部材であり、電子部品２を収容空間部３４に収容する。フレーム３１は、複数の壁部が軸線Ｐ周りに連なって環状に形成された筐体周壁部としてのフレーム周壁部３１ａによって中空状に形成される。つまり、フレーム３１は、高さ方向Ｘに対向する２面に筐体開口部としてのフレーム開口部３１ｃ、３１ｄを有する筒枠状に形成される。フレーム周壁部３１ａは、収容空間部３４を形成する壁体である。フレーム周壁部３１ａは、多角形筒状（略矩形筒状）に形成され、高さ方向Ｘの両側に開口している。フレーム３１は、フレーム周壁部３１ａの内側に複数の仕切り板３１ｂを有し、当該各仕切り板３１ｂにより収容空間部３４を細分化する。例えば、各仕切り板３１ｂは、フレーム周壁部３１ａの内側に第２幅方向Ｚに沿って設けられ、収容空間部３４を略半分に区画する。
【００２１】
ロアカバー３２は、フレーム３１の高さ方向Ｘの下側の開口を塞ぐ皿状（トレイ状）の部材である。ロアカバー３２は、カバー周壁部としてのロアカバー周壁部３２ａと、閉塞部としての底面部３２ｂとによって中空状に形成され開口部３２ｃを有する。ロアカバー周壁部３２ａは、複数の壁部が軸線Ｐ周りに連なって環状に形成され、多角形筒状（略矩形筒状）を成す壁体である。底面部３２ｂは、ロアカバー周壁部３２ａの一方の開口（高さ方向Ｘの下側の開口）を閉塞する底体である。開口部３２ｃは、ロアカバー周壁部３２ａの他方（高さ方向Ｘの上側）に設けられている。
【００２２】
アッパカバー３３は、フレーム３１の高さ方向Ｘの上側の開口を塞ぐ蓋状の部材である。アッパカバー３３は、アッパカバー周壁部３３ａと、天井面３３ｂとによって中空状に形成され開口部３３ｃを有する。アッパカバー周壁部３３ａは、複数の壁部が軸線Ｐ周りに連なって環状に形成され、多角形筒状（略矩形筒状）を成す壁体である。天井面３３ｂは、アッパカバー周壁部３３ａの一方の開口（高さ方向Ｘの上側の開口）を閉塞する天井体である。開口部３３ｃは、アッパカバー周壁部３３ａの他方（高さ方向Ｘの下側）に設けられている。
【００２３】
筐体３は、フレーム３１の高さ方向Ｘの下側のフレーム開口部３１ｃとロアカバー３２の開口部３２ｃとが対向し、フレーム３１の高さ方向Ｘの上側のフレーム開口部３１ｄとアッパカバー３３の開口部３３ｃとが対向するように位置する。そして、筐体３は、ロアカバー３２がフレーム３１の高さ方向Ｘの下側に組み付けられ、ロアカバー３２によりフレーム３１の高さ方向Ｘの下側のフレーム開口部３１ｃが塞がれる。また、筐体３は、アッパカバー３３がフレーム３１の高さ方向Ｘの上側に組み付けられ、アッパカバー３３によりフレーム３１の高さ方向Ｘの上側のフレーム開口部３１ｄが塞がれる。
【００２４】
筐体３は、後述する種々の形式のロック機構３５を備え、フレーム３１に対して、種々の形式のロック機構３５を介して、アッパカバー３３、ロアカバー３２が係止される。筐体３は、全体として、第１幅方向Ｙに沿った方向が短辺、第２幅方向Ｚに沿った方向が長辺となる略直方体状に形成される。この構成により、筐体３は、フレーム３１、ロアカバー３２、及び、アッパカバー３３の内部に収容空間部３４が区画される。
【００２５】
収容空間部３４は、フレーム３１、ロアカバー３２、及び、アッパカバー３３によって区画され、当該フレーム３１、ロアカバー３２、及び、アッパカバー３３によって囲われた空間である。収容空間部３４は、内部に電子部品２を収容する。収容空間部３４は、第１幅方向Ｙ、及び、第２幅方向Ｚに対してフレーム３１のフレーム周壁部３１ａ、ロアカバー３２のロアカバー周壁部３２ａ、及び、アッパカバー３３のアッパカバー周壁部３３ａによって区画される。また、収容空間部３４は、高さ方向Ｘの下側がロアカバー３２の底面部３２ｂによって区画され、高さ方向Ｘの上側がアッパカバー３３の天井面３３ｂによって区画される。
【００２６】
電気接続箱１は、この収容空間部３４内にブロック３７が設けられる。ブロック３７は、フレーム３１に対して着脱可能に組み付けられる。ブロック３７は、フレーム３１等と同様に絶縁性の合成樹脂によって形成される。ブロック３７は、複数に分割されていてもよい。ブロック３７は、多数の接続部としてのキャビティが形成される。電子部品２は、各キャビティ内に組み付けられる。また、ブロック３７は、導電性の金属材料によって構成された回路体が組み付けられている。回路体は、各キャビティに組み付けられた各電子部品２を電気的に接続し電気回路の一部を構成するものであり、例えば、バスバ等である。ブロック３７は、各キャビティに対して、筐体３の挿通口３６等を介して配索された配索材Ｗの端末に設けられた端子等が差し込まれ嵌合される。また、ブロック３７は、各キャビティに対して、高さ方向Ｘの上側から電子部品２が差し込まれ嵌合される。この構成により、各電子部品２と配索材Ｗとは、ブロック３７に組み付けられ搭載された状態でバスバ等の回路体を介して相互に電気的に接続され、要求される電気回路を構成する。
【００２７】
ここで、上述した種々の形式のロック機構３５は、例えば、第一挿入ロック機構３５Ａ、第二挿入ロック機構３５Ｂ、及び、引っ掛けロック機構３５Ｃを含んで構成される。第一挿入ロック機構３５Ａ、第二挿入ロック機構３５Ｂ、及び、引っ掛けロック機構３５Ｃは、筐体３の複数の壁部のうち、異なる壁部にそれぞれ設けられる。第一挿入ロック機構３５Ａは、第一挿入係止片３５ａと、第一挿入受け部３５ｂとを有し、第一挿入係止片３５ａが第一挿入受け部３５ｂに挿入され係止される。第一挿入係止片３５ａは、ロアカバー周壁部３２ａの複数の壁部のうちの第一壁部３２ｄに少なくとも２つ、開口部３２ｃ側に設けられる。各第一挿入係止片３５ａは、長尺状且つ板状に形成され高さ方向Ｘに沿って延在し、各第一挿入係止片３５ａの先端部がロアカバー３２の開口部３２ｃからフレーム３１側に突出している。各第一挿入係止片３５ａは、各第一挿入受け部３５ｂに係止される溝部３５ｃが先端部に設けられている。
【００２８】
各第一挿入受け部３５ｂは、フレーム周壁部３１ａの複数の壁部のうちの第一壁部３１ｅに第一挿入係止片３５ａに対応して２つ、フレーム開口部３１ｃ側に設けられる。各第一挿入受け部３５ｂは、図３に示すように、筒部３５ｄと、係止突起部３５ｅとを有する。筒部３５ｄは、筒状に形成され高さ方向Ｘに沿って延在している。筒部３５ｄは、第一挿入係止片３５ａが挿入される。筒部３５ｄは、高さ方向Ｘに沿って２本のスリットが形成され、当該各スリットの間に弾性片３５ｆが形成されている。係止突起部３５ｅは、筒部３５ｄの内側に設けられ、突起状に形成されている。係止突起部３５ｅは、第一挿入係止片３５ａが挿入される側がテーパー状に形成されている。係止突起部３５ｅは、例えば、筒部３５ｄの弾性片３５ｆに設けられている。これにより、係止突起部３５ｅは、第一挿入係止片３５ａの挿入によりテーパー形状に沿って一旦押し上げられ、その後、第一挿入係止片３５ａの溝部３５ｃに嵌まり元の位置に復帰して第一挿入係止片３５ａの溝部３５ｃに係止する。このように構成された第一挿入ロック機構３５Ａは、各第一挿入係止片３５ａが各第一挿入受け部３５ｂに挿入され、且つ、各第一挿入係止片３５ａが各第一挿入受け部３５ｂに係止されていない状態で、ロアカバー３２とフレーム３１との相対回動の回動支点となる。例えば、第一挿入ロック機構３５Ａは、フレーム３１にロアカバー３２を組み付けるときに、各第一挿入係止片３５ａの先端部の一部が各第一挿入受け部３５ｂの筒部３５ｄに挿入された後、第一挿入係止片３５ａと第一挿入受け部３５ｂとの当接部を回動支点としてロアカバー３２とフレーム３１とが相対回動される。
【００２９】
第二挿入ロック機構３５Ｂは、図４に示すように、第二挿入係止片３５ｇと、第二挿入受け部３５ｈとを有し、第二挿入係止片３５ｇが第二挿入受け部３５ｈにより案内され係止される。第二挿入係止片３５ｇは、ロアカバー周壁部３２ａの複数の壁部のうちの第一壁部３２ｄとは異なる第二壁部３２ｅに２つ、開口部３２ｃ側に設けられる。各第二挿入係止片３５ｇは、各第一挿入係止片３５ａと同等に形成されている。つまり、各第二挿入係止片３５ｇは、長尺状且つ板状に形成され高さ方向Ｘに沿って延在し、各第二挿入係止片３５ｇの先端部がロアカバー３２の開口部３２ｃからフレーム３１側に突出している。各第二挿入係止片３５ｇは、第二挿入受け部３５ｈに係止される溝部３５ｉが先端部に設けられている。
【００３０】
第二挿入受け部３５ｈは、フレーム周壁部３１ａの複数の壁部のうちの第一壁部３１ｅとは異なる第二壁部３１ｆに各第二挿入係止片３５ｇに対応して２つ、フレーム開口部３１ｃ側に設けられる。各第二挿入受け部３５ｈは、上述した各第一挿入受け部３５ｂと同等に形成されている。つまり、各第二挿入受け部３５ｈは、筒部３５ｊと、係止突起部（図示せず）とを有する。筒部３５ｊは、筒状に形成され高さ方向Ｘに沿って延在している。筒部３５ｊは、第二挿入係止片３５ｇが挿入（案内）される。筒部３５ｊは、高さ方向Ｘに沿って２本のスリットが形成され、当該各スリットの間に弾性片３５ｍが形成されている。係止突起部は、筒部３５ｊの内側に設けられ、突起状に形成されている。係止突起部は、第二挿入係止片３５ｇが挿入される側がテーパー状に形成されている。係止突起部は、例えば、筒部３５ｊの弾性片３５ｍに設けられている。これにより、係止突起部は、第二挿入係止片３５ｇの挿入によりテーパー形状に沿って一旦押し上げられ、その後、第二挿入係止片３５ｇの溝部３５ｉに嵌まり元の位置に復帰して第二挿入係止片３５ｇの溝部３５ｉに係止する。このように構成された第二挿入ロック機構３５Ｂは、第一挿入ロック機構３５Ａが回動支点となる状態でロアカバー３２とフレーム３１とを相対回動させるときに、各第二挿入受け部３５ｈにより各第二挿入係止片３５ｇを案内し、フレーム３１とロアカバー３２との相対位置を規定する。
【００３１】
引っ掛けロック機構３５Ｃは、係止爪３５ｎと、爪受け部３５ｐとを有し、係止爪３５ｎが爪受け部３５ｐに引っ掛けられ係止される（図６参照）。係止爪３５ｎは、ロアカバー周壁部３２ａの複数の壁部のうちの第一及び第二壁部３２ｄ、３２ｅとは異なる第三壁部３２ｆに２つ、開口部３２ｃ側に設けられる。係止爪３５ｎは、Ｕ字状に形成され各係止爪３５ｎの一部がロアカバー３２の開口部３２ｃからフレーム３１側にはみ出している。爪受け部３５ｐは、フレーム周壁部３１ａの複数の壁部のうちの第一及び第二壁部３１ｅ、３１ｆとは異なる第三壁部３１ｇから突出して設けられた凸部である。爪受け部３５ｐは、各係止爪３５ｎに対応して２つ、外部に露出した状態で設けられる。
【００３２】
引っ掛けロック機構３５Ｃは、さらに、係止爪３５ｑと、爪受け部３５ｒとを有し、係止爪３５ｑが爪受け部３５ｒに引っ掛けられ係止される。係止爪３５ｑは、ロアカバー周壁部３２ａの複数の壁部のうちの第一〜第三壁部３２ｄ、３２ｅ、３２ｆとは異なる第四壁部３２ｇに１つ、開口部３２ｃ側に設けられる。係止爪３５ｑは、Ｕ字状に形成され係止爪３５ｑの一部がロアカバー３２の開口部３２ｃからフレーム３１側にはみ出している。爪受け部３５ｒは、フレーム周壁部３１ａの複数の壁部のうちの第一〜第三壁部３１ｅ、３１ｆ、３１ｇとは異なる第四壁部３１ｈから突出して設けられた凸部である。爪受け部３５ｒは、係止爪３５ｑに対応して１つ、外部に露出した状態で設けられる。このように構成された引っ掛けロック機構３５Ｃは、第二挿入係止片３５ｇが案内された後、各係止爪３５ｎ、３５ｑが各爪受け部３５ｐ、３５ｒに引っ掛けられ係止される。
【００３３】
次に、ロアカバー３２をフレーム３１に組み付ける例について説明する。作業者は、図４に示すように、第一挿入ロック機構３５Ａにおいて、ロアカバー３２の各第一挿入係止片３５ａの先端部の一部をフレーム３１の各第一挿入受け部３５ｂの筒部３５ｄに挿入する。次に、作業者は、図５に示すように、各第一挿入係止片３５ａの先端部と各第一挿入受け部３５ｂの筒部３５ｄとの当接部を回動支点としお互いが近づくようにロアカバー３２とフレーム３１とを相対回動させる。このとき、電気接続箱１は、第二挿入ロック機構３５Ｂの各第二挿入係止片３５ｇが各第二挿入受け部３５ｈにより案内されフレーム３１とロアカバー３２との相対位置を規定する。これにより、電気接続箱１は、引っ掛けロック機構３５Ｃの各係止爪３５ｎ、３５ｑと各爪受け部３５ｐ、３５ｒとの相対位置を規定することができる。この時点では、電気接続箱１は、図６に示すように、引っ掛けロック機構３５Ｃの各係止爪３５ｎ、３５ｑが各爪受け部３５ｐ、３５ｒに引っ掛けられていない。次に、作業者は、図７に示すように、各第一挿入係止片３５ａの先端部と各第一挿入受け部３５ｂの筒部３５ｄとの当接部を回動支点としてロアカバー３２とフレーム３１とをさらに相対回動させ、ロアカバー３２によりフレーム３１のフレーム開口部３１ｃを完全に塞ぎ、図８に示すように、引っ掛けロック機構３５Ｃの各係止爪３５ｎ、３５ｑを各爪受け部３５ｐ、３５ｒに引っ掛けて係止する。
【００３４】
以上のように、実施形態に係る電気接続箱１及びワイヤハーネスＷＨは、フレーム３１と、ロアカバー３２と、第一挿入ロック機構３５Ａと、第二挿入ロック機構３５Ｂとを含んで構成される。フレーム３１は、複数の壁部が軸線Ｐ周りに連なって環状に形成されたフレーム周壁部３１ａ、及び、フレーム周壁部３１ａの軸線Ｐに沿った軸線方向の少なくとも一方側が開口されたフレーム開口部３１ｃを有し、電子部品２を内部に収容する。ロアカバー３２は、複数の壁部が軸線Ｐ周りに連なって環状に形成されたロアカバー周壁部３２ａ、及び、ロアカバー周壁部３２ａの軸線方向の一方側を閉塞する底面部３２ｂを有し、フレーム開口部３１ｃを塞ぐ。第一挿入ロック機構３５Ａは、ロアカバー周壁部３２ａの複数の壁部のうちの第一壁部３２ｄに少なくとも２つ設けられる第一挿入係止片３５ａ、及び、フレーム周壁部３１ａの複数の壁部のうちの第一壁部３１ｅに各第一挿入係止片３５ａに対応してそれぞれ設けられ各第一挿入係止片３５ａが挿入され係止される各第一挿入受け部３５ｂを有し、各第一挿入係止片３５ａが各第一挿入受け部３５ｂに挿入され且つ各第一挿入係止片３５ａが各第一挿入受け部３５ｂに係止されていない状態でロアカバー３２とフレーム３１との相対回動の回動支点となる。第二挿入ロック機構３５Ｂは、ロアカバー周壁部３２ａの複数の壁部のうちの第一壁部３２ｄとは異なる第二壁部３２ｅに設けられる第二挿入係止片３５ｇ、及び、フレーム周壁部３１ａの複数の壁部のうちの第一壁部３１ｅとは異なる第二壁部３１ｆに第二挿入係止片３５ｇに対応して設けられ第二挿入係止片３５ｇが係止される第二挿入受け部３５ｈを有し、第一挿入ロック機構３５Ａが回動支点となる状態で第二挿入受け部３５ｈにより第二挿入係止片３５ｇを案内し、フレーム３１とロアカバー３２との相対位置を規定する。
【００３５】
このように、電気接続箱１及びワイヤハーネスＷＨは、フレーム３１にロアカバー３２を組み付ける場合、第一挿入ロック機構３５Ａを回動支点とし、第二挿入ロック機構３５Ｂによりフレーム３１とロアカバー３２との相対位置を規定する。これにより、電気接続箱１及びワイヤハーネスＷＨは、第一挿入ロック機構３５Ａ及び第二挿入ロック機構３５Ｂにより、フレーム３１とロアカバー３２との相対位置を容易に規定することができる。しかも、ロアカバー３２をフレーム３１側に回動することにより第二挿入ロック機構３５Ｂの位置合わせを行うので、第二挿入ロック機構３５Ｂの位置合わせを容易に行うことができる。従って、電気接続箱１及びワイヤハーネスＷＨは、従来のように、全てのロック機構の位置を同時に合わせてロアカバーをフレームに組み付ける場合と比較して、ロアカバー３２をフレーム３１に組み付ける際の作業性を向上することができる。
【００３６】
また、電気接続箱１は、フレーム３１にロアカバー３２を組み付ける場合、第一挿入係止片３５ａの一部が第一挿入受け部３５ｂに挿入された後、第一挿入係止片３５ａと第一挿入受け部３５ｂとの当接部を回動支点としてロアカバー３２とフレーム３１とが相対回動され、第二挿入係止片３５ｇが第二挿入受け部３５ｈにより案内され、フレーム３１とロアカバー３２との相対位置を規定する。
【００３７】
これにより、電気接続箱１は、第一挿入ロック機構３５Ａの回動支点を中心にロアカバー３２を回動させながら第二挿入ロック機構３５Ｂの第二挿入受け部３５ｈにより第二挿入係止片３５ｇを案内することで、フレーム３１とロアカバー３２との相対位置を規定することができる。
【００３８】
また、電気接続箱１は、係止爪３５ｎ及び爪受け部３５ｐを有する引っ掛けロック機構３５Ｃをさらに備える。係止爪３５ｎは、ロアカバー周壁部３２ａの複数の壁部のうちの第一及び第二壁部３２ｄ、３２ｅとは異なる第三壁部３２ｆに設けられる。爪受け部３５ｐは、フレーム周壁部３１ａの複数の壁部のうちの第一及び第二壁部３１ｅ、３１ｆとは異なる第三壁部３１ｇに係止爪３５ｎに対応し外部に露出した状態で設けられ係止爪３５ｎが引っ掛けられ係止される。引っ掛けロック機構３５Ｃは、第二挿入係止片３５ｇが案内された後、係止爪３５ｎが爪受け部３５ｐに引っ掛けられ係止される。
【００３９】
これにより、電気接続箱１は、フレーム３１とロアカバー３２との相対位置を規定した後に、引っ掛けロック機構３５Ｃの係止爪３５ｎを爪受け部３５ｐに係止するので、係止爪３５ｎ及び爪受け部３５ｐは、上述の回動支点とする機能や案内する機能を不要とすることができ、係止する機能に特化することができる。従って、電気接続箱１は、引っ掛けロック機構３５Ｃの係止爪３５ｎ及び爪受け部３５ｐの構成を簡素化することができ、係止爪３５ｎ及び爪受け部３５ｐを容易に製造することができる。
【００４０】
また、電気接続箱１において、各第一挿入受け部３５ｂは、筒状に形成された筒部３５ｄと、筒部３５ｄの内側に設けられた係止突起部３５ｅとを有し、各第一挿入係止片３５ａは、筒部３５ｄへの挿入時に係止突起部３５ｅに係止される溝部３５ｃを有する。また、第二挿入受け部３５ｈは、筒状に形成された筒部３５ｊと、筒部３５ｊの内側に設けられた係止突起部（図示せず）とを有し、第二挿入係止片３５ｇは、筒部３５ｊへの挿入時に係止突起部に係止される溝部３５ｉを有する。
【００４１】
これにより、電気接続箱１は、各第一挿入係止片３５ａの先端部の一部を各第一挿入受け部３５ｂの筒部３５ｄに挿入することで、第一挿入係止片３５ａと第一挿入受け部３５ｂとの当接部を回動支点として機能させることができる。また、電気接続箱１は、第二挿入係止片３５ｇの先端部の一部を第二挿入受け部３５ｈの筒部３５ｊに挿入し、第二挿入受け部３５ｈにより第二挿入係止片３５ｇを案内することで、フレーム３１とロアカバー３２との相対位置を規定することができる。
【００４２】
〔変形例〕
次に、実施形態の変形例について説明する。ロック機構３５は、フレーム３１にロアカバー３２を組み付ける際に適用される例について説明したが、これに限定されない。例えば、ロック機構３５は、フレーム３１にアッパカバー３３を組み付ける際に適用してもよい。
【００４３】
また、電気接続箱１は、引っ掛けロック機構３５Ｃの代わりに、第一挿入係止片３５ａ及び第一挿入受け部３５ｂを有する第一挿入ロック機構３５Ａを適用してもよい。
【００４４】
また、第二挿入ロック機構３５Ｂにおいて、第二挿入受け部３５ｈは、筒状に形成された筒部３５ｊと、当該筒部３５ｊの内側に設けられた係止突起部とを有する例について説明したが、これに限定されない。第二挿入受け部３５ｈは、第二挿入係止片３５ｇを案内する図示しない棒状のガイド部材と、当該ガイド部材の近傍に第二挿入係止片３５ｇを係止する図示しない係止突起部とを有するようにしてもよい。
【符号の説明】
【００４５】
１  電気接続箱
２  電子部品
３１  フレーム（筐体本体）
３１ａ  フレーム周壁部（筐体周壁部）
３１ｃ  フレーム開口部（筐体開口部）
３１ｅ、３２ｄ  第一壁部
３１ｆ、３２ｅ  第二壁部
３１ｇ、３２ｆ  第三壁部
３２  ロアカバー（カバー部材）
３２ａ  ロアカバー周壁部（カバー周壁部）
３２ｂ  底面部（閉塞部）
３５Ａ  第一挿入ロック機構
３５Ｂ  第二挿入ロック機構
３５Ｃ  引っ掛けロック機構
３５ａ  第一挿入係止片
３５ｂ  第一挿入受け部
３５ｇ  第二挿入係止片
３５ｈ  第二挿入受け部
３５ｎ  係止爪
３５ｐ  爪受け部
Ｐ  軸線
ＷＨ  ワイヤハーネス
【図１】
2018148769.tif 000003
【図２】
2018148769.tif 000004
【図３】
2018148769.tif 000005
【図４】
2018148769.tif 000006
【図５】
2018148769.tif 000007
【図６】
2018148769.tif 000008
【図７】
2018148769.tif 000009
【図８】
2018148769.tif 000010